【手続補正書】
【提出日】平成22年10月27日(2010.10.27)
【手続補正１】
【補正対象書類名】明細書
【補正対象項目名】００２９
【補正方法】変更
【補正の内容】
【００２９】
【図１】本発明の第１実施形態に係る放送広告データ自動露出制御システムの概略的な構成を示した模式図である。
【図２】本発明の第１実施形態に係る放送広告データ自動露出制御システムのデータ流れを示した図面である。
【図３】本発明の第１実施形態に係る放送広告データ自動露出制御システムにおいて放送出力端末を通じて出力される画面を示した図面である。
【図４】本発明の第１実施形態に係る放送広告データ自動露出制御システムに備えられた放送出力端末の構成を示したブロック図である。
【図５】本発明の第１実施形態に係る放送広告データ自動露出制御システムに備えられた広告データ伝送サーバーの構成を示したブロック図である。
【図６ａ】本発明の第１実施形態に係る放送広告データ自動露出制御システムの信号流れを示したフローチャートである。
【図６ｂ】本発明の第１実施形態に係る放送広告データ自動露出制御システムの信号流れを示したフローチャートである。
【図７】本発明の第２実施形態に係る放送広告データ自動露出制御システムに備えられた放送出力端末の構成を示したブロック図である。
【図８】本発明の第２実施形態に係る放送広告データ自動露出制御システムに備えられた広告データ伝送サーバーの構成を示したブロック図である。
【図９】本発明の第２実施形態に係る放送広告データ自動露出制御システムの信号流れを示したフローチャートである。
【図１０】本発明の第３実施形態に係る放送広告データ自動露出制御システムの信号流れを示したフローチャートである。
【図１１】本発明の第４実施形態に係る放送広告データ自動露出制御システムに備えられた広告データ伝送サーバーの構成を示したブロック図である。
【図１２】本発明の第４実施形態に係る放送広告データ自動露出制御システムの信号流れを示したフローチャートである。
【図１３】本発明の第４実施形態に係る放送広告データ自動露出制御システムの信号流れを示したフローチャートである。
【図１４】本発明の第５実施形態に係る放送広告データ自動露出制御システムの構成を概略的に示した模式図である。
【図１５】本発明の第５実施形態に係る放送広告データ自動露出制御システムのデータ流れを示した図面である。
【図１６】本発明の第５実施形態に係る放送広告データ自動露出制御システムに含まれた放送出力端末を通じて出力される画面を示した図面である。
【図１７】本発明の第５実施形態に係る放送広告データ自動露出制御システムに備えられた放送出力端末の構成を示したブロック図である。
【図１８】本発明の第５実施形態に係る放送広告データ自動露出制御システムに備えられた広告データ伝送サーバーの構成を示したブロック図である。
【図１９】本発明の第５実施形態に係る放送広告データ自動露出制御システムの信号流れを示したフローチャートである。
【図２０】本発明の第６実施形態に係る放送広告データ自動露出制御システムのデータ流れを示した図面である。
【図２１】本発明の第６実施形態に係る放送広告データ自動露出制御システムに備えられた放送出力端末の構成を示したブロック図である。
【図２２】本発明の第６実施形態に係る放送広告データ自動露出制御システムの信号流れを示したフローチャートである。
【図２３】本発明の第７実施形態に係る放送広告データ自動露出制御システムの信号流れを示したフローチャートである。
【図２４】本発明の第８実施形態に係る放送広告データ自動露出制御システムに備えられた放送出力端末の構成を示したブロック図である。
【図２５】本発明の第８実施形態に係る放送広告データ自動露出制御システムの信号流れを示したフローチャートである。
【図２６】本発明の第８実施形態に係る放送広告データ自動露出制御システムの信号流れを示したフローチャートである。
【図２７】本発明の第５実施形態に係る放送広告データ自動露出制御システムに備えられた放送出力端末の構成を示したブロック図である。
【図２８】本発明の第５実施形態に係る放送広告データ自動露出制御システムに備えられた広告データ伝送サーバーの構成を示したブロック図である。
【図２９】本発明の第５実施形態に係る放送広告データ自動露出制御システムの信号流れを示したフローチャートである。
【図３０】本発明の第６実施形態に係る放送広告データ自動露出制御システムの信号流れを示したフローチャートである。
【手続補正２】
【補正対象書類名】特許請求の範囲
【補正対象項目名】全文
【補正方法】変更
【補正の内容】
【特許請求の範囲】
【請求項１】
画面出力領域１００に構成された放送データ出力領域２００に放送データを出力し、広告出力条件を満たす時に画面出力領域の下段に広告データ出力領域３００を分割生成して広告データを一定時間出力する放送出力端末２ａ〜２ｎと;
中継局や中継衛星の中継網を通じて放送データを前記放送出力端末２ａ〜２ｎに伝送するための放送データ伝送サーバー４と;
広告データ及び広告情報を広告データ伝送サーバー６に伝送するための広告主端末１０ａ〜１０ｎと;
多数の前記広告主端末１０ａ〜１０ｎから伝送された広告データを格納し、この広告データを前記放送出力端末２ａ〜２ｎに伝送する広告データ伝送サーバー６を含んで構成されることを特徴とする放送広告データ自動露出制御システム。
【請求項２】
前記放送出力端末２ａ〜２ｎに対する前記広告出力条件は前記放送出力端末２ａ〜２ｎの電源をオンする時、電源をオフする時、及び前記放送出力端末２ａ〜２ｎを通じて視聴者がチャンネル変更を試みようとする信号の流入時であることを特徴とする請求項１に記載の放送広告データ自動露出制御システム。
【請求項３】
前記放送出力端末２ａ〜２ｎは広告視聴時間や、広告出力頻度数をチェックして前記広告データ伝送サーバー６に伝送するように設定されることを特徴とする請求項１に記載の放送広告データ自動露出制御システム。
【請求項４】
前記放送出力端末２ａ〜２ｎは放送データ出力途中チャンネル変換信号の流入時、一定時間だけ既に格納された広告データが出力され、一定時間の経過後には広告データが除去され、元の放送データに戻すように設定されることを特徴とする請求項１に記載の放送広告データ自動露出制御システム。
【請求項５】
前記放送出力端末２ａ〜２ｎは、その内部に放送アクセスネットワークまたはインターネット網に接続して前記放送データ伝送サーバー４及び広告データ伝送サーバー６とのデータ送受信を行い、プロトコルマッチング及びフィルターリングを行う通信モジュールと;視聴者の広告データ出力設定信号、広告データの画面比率調整信号、広告データの詳細情報確認信号、チャンネル変換信号、及び電源オン／オフ信号に対するリモコン信号を受信するためのリモコン情報受信部と;前記放送出力端末２ａ〜２ｎを通じて出力される放送データ及び広告データの出力を制御するための画面出力制御部と;前記画面出力制御部１６と連動して前記広告データ伝送サーバー６から伝送された広告データを画面領域に挿入して出力するように制御する広告挿入制御部と;前記放送データ伝送サーバー４から伝送されたデジタル放送データを受信して前記放送出力端末２ａ〜２ｎを通じて出力するように制御する公知の放送データ出力制御部と;前記放送データ伝送サーバー４から伝送されたデジタル放送データを受信して録画格納するための放送データ録画制御部と;前記広告データ伝送サーバー６から伝送された広告データを格納し、端末固有番号情報を格納し、視聴者の広告データ出力設定信号、広告データの画面比率調整信号を受信し、その設定情報を格納するためのデータ格納部と;前記リモコン情報受信部１４を通じて広告データの画面出力に対する設定信号を受信し、前記広告データ伝送サーバー６から広告データを受信して格納した状態で、前記リモコン情報受信部１４から広告出力条件信号を受信すると、広告データを一定時間出力するように制御するための制御部と;前記制御部２６の内部に備えられて広告出力時間を演算するためのタイマーを含むことを特徴とする請求項１に記載の放送広告データ自動露出制御システム。
【請求項６】
前記制御部２６は前記リモコン情報受信部１４から出力される広告データの比率を調整するための信号を受信し、前記画面出力制御部１６に制御信号を発生して広告データの出力サイズを調整するための制御ルーチンが設定されることを特徴とする請求項５に記載の放送広告データ自動露出制御システム。
【請求項７】
前記制御部２６は前記タイマー２６ａと連動して広告出力時間を累積演算し、一定時間間隔毎に前記広告データ伝送サーバー６に当該広告出力時間情報を伝送するように設定されることを特徴とする請求項５に記載の放送広告データ自動露出制御システム。
【請求項８】
前記放送出力端末２ａ〜２ｎは、その内部に広告データ出力モードを視聴者が設定し、前記広告出力領域３００のサイズに対する比率を調整するためのキー入力部をさらに含むことを特徴とする請求項５に記載の放送広告データ自動露出制御システム。
【請求項９】
前記広告データ伝送サーバー６は前記放送出力端末２ａ〜２ｎから一定時間間隔、または前記放送出力端末２ａ〜２ｎの電源オフ時に当該放送出力端末２ａ〜２ｎを通じて既に出力された広告出力時間情報を受信し、広告を出力させた視聴者に出力時間に比例した補償を行うように設定されることを特徴とする請求項１に記載の放送広告データ自動露出制御システム。
【請求項１０】
前記広告データ伝送サーバー６は、その内部に前記放送出力端末２ａ〜２ｎと、広告主端末１０ａ〜１０ｎとのデータ通信を通じて各種データのアップロード／ダウンロードを行い、プロトコルマッチングやデータフィルターリングを行うための通信モジュールと;前記放送出力端末２ａ〜２ｎと、広告主端末１０ａ〜１０ｎを通じてデータ伝送を行おうとする視聴者及び広告主の真偽を判断するために認証を行う認証処理部と;前記広告主端末１０ａ〜１０ｎから広告データを受信して格納し、その広告データに業者イベント情報及びイメージ情報を含むデータを生成して前記放送出力端末２ａ〜２ｎに伝送する広告データ生成部と;前記広告データ生成部３２と連動して業者イベント情報及びイメージ情報を広告データ内部に挿入するための挿入データ組合せ部と;前記放送出力端末２ａ〜２ｎと、広告主端末１０ａ〜１０ｎの端末固有コード情報を管理し、受信するデータを固有コード別に分類するための端末情報管理部と;広告主が予め引き落とした広告費用情報、及び地域情報を含んだ身上情報を管理するための広告主情報管理部と;前記放送出力端末２ａ〜２ｎを通じて出力される広告データの出力時間に比例して広告費用を精算処理するための広告費用精算部と;視聴者及び広告主の真偽を判断するための認証情報を格納する認証情報ＤＢと;前記広告主端末１０ａ〜１０ｎから伝送された広告データを格納する広告ＤＢと;前記放送出力端末２ａ〜２ｎと、広告主端末１０ａ〜１０ｎの端末固有コード情報、及びその固有コード情報とマッチングされる地域情報を格納する端末情報ＤＢと;広告主が予め引き落とした広告費用情報、及び地域情報を含んだ身上情報を格納するための広告主情報ＤＢと;広告主の広告出力費用精算情報を格納するための広告費用精算ＤＢと;前記広告主端末１０ａ〜１０ｎから広告データを受信して格納し、前記放送出力端末２ａ〜２ｎから広告出力要請信号及び当該端末情報を受信して登録し、広告データに業者イベント情報及びイメージ情報を含んだ広告データを生成し、この広告データを一定時間間隔で前記放送出力端末２ａ〜２ｎに伝送する制御部を含んで構成されることを特徴とする請求項１に記載の放送広告データ自動露出制御システム。
【請求項１１】
広告データ伝送サーバー６が多数の広告主端末１０ａ〜１０ｎから広告データを受信して各広告主別に登録処理する第１過程と;
前記広告データ伝送サーバー６が多数の広告データを放送出力端末２ａ〜２ｎに伝送する第２過程と;
前記放送出力端末２ａ〜２ｎが前記広告データ伝送サーバー６から伝送された広告データを格納する第３過程と;
前記放送出力端末２ａ〜２ｎが地上波、衛星放送、ケーブル放送の放送データを画面に出力する第４過程と;
前記放送出力端末２ａ〜２ｎが広告出力条件を満たすかどうかを判断する第５過程と;
当該広告出力条件を満たすと、内部に既に格納された広告データを抽出して画面に出力する第６過程と;
前記放送出力端末２ａ〜２ｎが広告データの出力が開始した時点からタイマー２６ａを駆動して、予め設定された一定時間になったかを判断する第７過程と;
既設定時間になると当該前記放送出力端末２ａ〜２ｎを通じて画面に出力される広告データを除去して元の放送データ出力画面に復帰させる第８過程を含んで構成されることを特徴とする放送広告データ自動露出制御方法。
【請求項１２】
前記第５過程はその広告出力条件でチャンネル転換信号、電源オン／オフ信号の流入可否を判断する過程であることを特徴とする請求項１１に記載の放送広告データ自動露出制御方法。
【請求項１３】
前記第６過程は画面出力領域１００に出力される放送データを一定比率で縮小し、その残り空間に抽出した広告データを出力する過程であることを特徴とする請求項１１に記載の放送広告データ自動露出制御方法。
【請求項１４】
前記第８過程以後に既に設定された時間にならない時点で、他のチャンネルへの変更信号が印加されるかを判断する第９過程と;
他のチャンネルへの変更信号が印加された場合に、新規の広告データを画面に出力する第６過程に戻す過程をさらに含むことを特徴とする請求項１１に記載の放送広告データ自動露出制御方法。
【請求項１５】
放送出力端末１０２ａ−１０２ｎに放送データを伝送するための放送データ伝送サーバー１０４と;
特定広告チャンネル番号が設定されており、前記放送データ伝送サーバー１０４から送出される放送番組出力時チャンネル自動スイッチング条件を満たすかどうかを判断して予め設定された特定広告チャンネルに自動スイッチングし、チャンネル復元条件を満たす時自動で元の放送チャンネルに戻すように設定された放送出力端末１０２ａ−１０２ｎを含んで構成されることを特徴とする放送広告データ自動露出制御システム。
【請求項１６】
前記放送出力端末１０２ａ−１０２ｎのチャンネル自動スイッチング条件は元の放送番組チャンネルに広告が出力される時点または電源オンや電源オフ時点になったか否かであることを特徴とする請求項１５に記載の放送広告データ自動露出制御システム。
【請求項１７】
前記放送出力端末１０２ａ−１０２ｎのチャンネル復元条件は、広告後に元の放送番組チャンネルから放送番組が開始する時点になったか否かであることを特徴とする請求項１５に記載の放送広告データ自動露出制御システム。
【請求項１８】
前記放送データ伝送サーバー１０４は放送番組の編成表に含まれた番組時間情報やキユートーンシグナル情報、番組開始及び終了シグナル情報を通じてチャンネル自動スイッチング時点及び元のチャンネル復元時点を判断するように設定されることを特徴とする請求項１６または１７に記載の放送広告データ自動露出制御システム。
【請求項１９】
前記放送出力端末１０２ａ−１０２ｎは放送アクセスネットワークまたはインターネット網に接続して前記放送データ伝送サーバー１０４及び広告データ伝送サーバー１０６とのデータ送受信を行い、プロトコルマッチング及びフィルターリングを行う通信モジュールと;視聴者の広告データ出力モード設定信号に対するリモコン信号を受信するためのリモコン情報受信部と;前記放送出力端末１０２ａ−１０２ｎを通じて出力される放送データの出力を制御するための画面出力制御部と;前記画面出力制御部１６と連動して視聴する放送チャンネルと、予め設定された特定広告専用チャンネルに自動でスイッチングするためのチャンネルスイッチング制御部と;前記放送データ伝送サーバー１０４から伝送されたデジタル放送データを受信して前記放送出力端末１０２ａ−１０２ｎを通じて出力するように制御する放送データ出力制御部と;広告データ伝送サーバー１０６で広告主から受け付けた多数の広告データを通じて構築した特定広告専用チャンネルに対するチャンネル番号を格納し、自動スイッチング条件情報(番組編成表の時間情報、キユートーン情報値、放送番組の開始及び終了シグナル値）を格納し、端末固有番号情報を格納し、視聴者の広告データ出力モード設定信号を格納するためのデータ格納部と;前記リモコン情報受信部１４を通じて広告チャンネルへの自動スイッチングに対する視聴者のモード選択信号が印加され、特定広告専用チャンネル番号を設定した状態で、前記放送データ伝送サーバー１０４から当該放送番組の開始及び終了に対するシグナル情報が含まれた放送データを受信して放送出力し、当該チャンネルに広告データが出力される時点で予め設定された広告専用チャンネルに自動スイッチングするように制御し、本放送チャンネルの放送番組開始信号を受信すると元の放送チャンネルに戻すようにチャンネル自動スイッチングを制御するための制御部を含んで構成されることを特徴とする請求項１５に記載の放送広告データ自動露出制御システム。
【請求項２０】
チャンネルスイッチング条件及び自動でスイッチングしよとする特定チャンネル番号を放送出力端末１０２ａ−１０２ｎに設定する第１過程と;
前記放送出力端末１０２ａ−１０２ｎが放送データを画面に出力する第２過程と;
前記放送出力端末１０２ａ−１０２ｎがチャンネル自動スイッチング条件を満たすかどうかを判断する第３過程と;
前記放送出力端末１０２ａ−１０２ｎが自動で元の放送チャンネル番号をメモリする第４過程と;
前記放送出力端末１０２ａ−１０２ｎが予め設定された広告専用チャンネルに画面を自動スイッチングし、広告専用放送を画面に出力する第５過程と;
前記放送出力端末１０２ａ−１０２ｎが元の放送チャンネルへの復帰条件を満たすかどうかを判断する第６過程と;
前記放送出力端末１０２ａ−１０２ｎが放送画面を元の放送チャンネルに自動復帰させる第７過程を含んで構成されることを特徴とするＩＰＴＶを利用した放送広告データ自動出力制御方法。
【請求項２１】
前記第１過程は、前記放送出力端末１０２ａ−１０２ｎの製作時に予めチャンネルスイッチング条件及び広告専用チャンネル番号が含まれており、視聴者のモード選択によって設定状態を活性化する過程であることを特徴とする請求項２０に記載のＩＰＴＶを利用した放送広告データ自動出力制御方法。
【請求項２２】
前記第６過程は広告後に元の放送番組チャンネルから放送番組が開始する時点になったか否かを判断する過程であることを特徴とする請求項２０に記載のＩＰＴＶを利用した放送広告データ自動出力制御方法。
【手続補正３】
【補正対象書類名】図面
【補正対象項目名】図１
【補正方法】変更
【補正の内容】
【図１】
2011514069.tif 000001
【手続補正４】
【補正対象書類名】図面
【補正対象項目名】図６
【補正方法】削除
【補正の内容】
【手続補正５】
【補正対象書類名】図面
【補正対象項目名】図６ａ
【補正方法】追加
【補正の内容】
【図６ａ】
2011514069.tif 000002
【手続補正６】
【補正対象書類名】図面
【補正対象項目名】図６ｂ
【補正方法】追加
【補正の内容】
【図６ｂ】
2011514069.tif 000003
【手続補正７】
【補正対象書類名】図面
【補正対象項目名】図７
【補正方法】変更
【補正の内容】
【図７】
2011514069.tif 000004
【手続補正８】
【補正対象書類名】図面
【補正対象項目名】図１４
【補正方法】変更
【補正の内容】
【図１４】
2011514069.tif 000005
【手続補正９】
【補正対象書類名】図面
【補正対象項目名】図１５
【補正方法】変更
【補正の内容】
【図１５】
2011514069.tif 000006
【手続補正１０】
【補正対象書類名】図面
【補正対象項目名】図１７
【補正方法】変更
【補正の内容】
【図１７】
2011514069.tif 000007
【手続補正１１】
【補正対象書類名】図面
【補正対象項目名】図１８
【補正方法】変更
【補正の内容】
【図１８】
2011514069.tif 000008
【手続補正１２】
【補正対象書類名】図面
【補正対象項目名】図２０
【補正方法】変更
【補正の内容】
【図２０】
2011514069.tif 000009
【手続補正１３】
【補正対象書類名】図面
【補正対象項目名】図２１
【補正方法】変更
【補正の内容】
【図２１】
2011514069.tif 000010
【手続補正１４】
【補正対象書類名】図面
【補正対象項目名】図２４
【補正方法】変更
【補正の内容】
【図２４】
2011514069.tif 000011
【手続補正１５】
【補正対象書類名】図面
【補正対象項目名】図２７
【補正方法】変更
【補正の内容】
【図２７】
2011514069.tif 000012
【手続補正１６】
【補正対象書類名】図面
【補正対象項目名】図２８
【補正方法】変更
【補正の内容】
【図２８】
2011514069.tif 000013